(57)【要約】  照明装置１００及び照明装置の製造方法であって、照明装置は光を発生する少なくとも１つの光源１１０を含む。照明装置は、少なくとも１つの光源を囲み、少なくとも１つの光源から発生される光を透過する透光性エンベロープ１２０をさらに含む。照明装置は、少なくとも１つの光源に電力を供給するための駆動ユニット１３０であって、電気エネルギ源に接続可能な一次駆動回路１４０と、少なくとも１つの光源に接続可能な少なくとも１つの二次駆動回路１５０と、一次駆動回路と少なくとも１つの二次駆動回路との間で電気エネルギを変換する変圧器１６０とを含む駆動ユニットを、さらに含み、少なくとも変圧器と少なくとも１つの二次駆動回路駆動ユニットとは、エンベロープ内に配置される。
2018505533.tif 000002
【特許請求の範囲】
【請求項１】
光を発生する少なくとも１つの光源と、
前記少なくとも１つの光源を囲み、前記少なくとも１つの光源から発生される光を透過する透光性エンベロープと、
前記少なくとも１つの光源に電力を供給するための駆動ユニットであって、電気エネルギ源に接続可能な一次駆動回路と、前記少なくとも１つの光源に接続可能な少なくとも１つの二次駆動回路と、前記一次駆動回路と前記少なくとも１つの二次駆動回路との間で電気エネルギを変換する変圧器とを含む前記駆動ユニットと
を含む照明装置において、
前記駆動ユニットの前記一次駆動回路と、前記変圧器と、前記少なくとも１つの二次駆動回路とは前記エンベロープ内に配置されることを特徴とする、
照明装置。
【請求項２】
前記駆動ユニットは、前記エンベロープ内に配置される、請求項１に記載の照明装置。
【請求項３】
前記一次駆動回路は、前記エンベロープの口金部分に配置される、請求項１又は２に記載の照明装置。
【請求項４】
前記エンベロープ内に配置される支持構造体をさらに含み、前記少なくとも１つの二次駆動回路と前記少なくとも１つの光源とは前記支持構造体上に配置される、請求項１乃至３の何れか一項に記載の照明装置。
【請求項５】
前記支持構造体は円筒形状であり、前記変圧器を少なくとも部分的に囲む、請求項４に記載の照明装置。
【請求項６】
前記支持構造体は多角形の断面を有する、請求項４又は５に記載の照明装置。
【請求項７】
前記変圧器は、コアと、前記コアの周囲に配置される一次巻線と、前記一次巻線を少なくとも部分的に囲む絶縁要素と、前記絶縁要素の周囲に配置される二次巻線とを含み、前記照明装置は、前記コアを囲むステム要素をさらに含む、請求項１乃至６の何れか一項に記載の照明装置。
【請求項８】
前記ステム要素は前記一次巻線をさらに囲む、請求項７に記載の照明装置。
【請求項９】
前記ステム要素は円筒形状であり、前記エンベロープの口金部分から前記エンベロープの内部に延在する、請求項７又は８に記載の照明装置。
【請求項１０】
前記絶縁要素及び／又は前記ステム要素はガラスを含む、請求項７乃至９の何れか一項に記載の照明装置。
【請求項１１】
前記変圧器は、前記二次巻線の周囲に配置される円筒形状の第１のコア要素と、前記第１のコア要素の周縁の１つに配置される少なくとも１つの第２のコア要素とをさらに含む、請求項７乃至１０の何れか一項に記載の照明装置。
【請求項１２】
前記エンベロープは電球型である、請求項１乃至１１の何れか一項に記載の照明装置。
【請求項１３】
前記エンベロープはガラスを含む、請求項１乃至１２の何れか一項に記載の照明装置。
【請求項１４】
前記少なくとも１つの光源は、少なくとも１つの発光ダイオードを含む、請求項１乃至１３の何れか一項に記載の照明装置。
【請求項１５】
光を発生する少なくとも１つの光源を提供するステップと、
前記少なくとも１つの光源を囲み、前記少なくとも１つの光源から発生される光を透過する透光性エンベロープを提供するステップと、
前記少なくとも１つの光源に電力を供給するための駆動ユニットであって、電気エネルギ源に接続可能な一次駆動回路と、前記少なくとも１つの光源に接続可能な少なくとも１つの二次駆動回路と、前記一次駆動回路と前記少なくとも１つの二次駆動回路との間で電気エネルギを変換する変圧器とを含む前記駆動ユニットを提供するステップと
を含む照明装置を製造する方法において、
前記駆動ユニットの前記一次駆動回路と、前記変圧器と、前記少なくとも１つの二次駆動回路とを前記エンベロープ内に配置するステップによって特徴づけられる、
方法。
【発明の詳細な説明】
【技術分野】
【０００１】
本発明は概して、照明装置、及びそのような照明装置の製造方法の分野に関する。
【背景技術】
【０００２】
照明目的用の発光ダイオード（ＬＥＤ）の使用が引き続き注目されている。白熱電球と比較して、ＬＥＤは、より長い動作寿命及び光エネルギと熱エネルギとの比に関する効率の向上等、多くの利点を提供する。ＬＥＤランプは、ＬＥＤの色と出力電力とが調整されるので、一般照明用又はより具体的な照明用に使用される。
【０００３】
ＬＥＤを含む先行技術の発光アレンジメントは、電気エネルギの変換用及びある電圧レベルから別の電圧レベルへのＡＣ電圧の変更用の変圧器をさらに含む。したがって、発光アレンジメントは、第１の電圧を有する電気の供給源に結合され、よって、発光アレンジメント内のＬＥＤは、変圧器により、第１の電圧とは異なり、第１の電圧から電気的に絶縁される、第２の電圧が供給される。
【０００４】
しかし、先行技術による変圧器を含む発光アレンジメントは、しばしば、その設計において複雑で状況によるものである。したがって、より安全でより便利な照明装置構造を提供し、さらに、より費用対効果の高い照明装置と、照明装置のより費用対効果の高い製造方法とを提供し得る、代替の解決策が重要である。
【発明の概要】
【発明が解決しようとする課題】
【０００５】
本発明の目的は、上記の問題を軽減し、安全、便利、及び／又は費用対効果の高い照明装置と照明装置の製造方法とを提供することである。
【０００６】
この目的及び他の目的は、独立請求項に記載の特徴を有する照明装置と照明装置の製造方法とを提供することにより達成される。好ましい実施形態は従属請求項に規定される。
【０００７】
したがって、本発明の第１の態様によれば、光を発生する少なくとも１つの光源と、少なくとも１つの光源を囲み、少なくとも１つの光源から発生される光を透過する透光性エンベロープとを含む、照明装置が提供される。照明装置は、少なくとも１つの光源に電力を供給するための駆動ユニットをさらに含む。駆動ユニットは、電気エネルギ源に接続可能な一次駆動回路と、少なくとも１つの光源に接続される少なくとも１つの二次駆動回路と、一次駆動回路と少なくとも１つの二次駆動回路との間で電気エネルギを変換する変圧器とを含み、少なくとも変圧器と少なくとも１つの二次駆動回路とは、透光性エンベロープ内に配置される。
【０００８】
本発明の第２の態様によれば、照明装置の製造方法が提供される。方法は、光を発生する少なくとも１つの光源を提供するステップを含む。方法は、少なくとも１つの光源を囲み、少なくとも１つの光源から発生される光を透過する透光性エンベロープを提供するステップを、さらに含む。方法は、少なくとも１つの光源に電力を供給するための駆動ユニットであって、電気エネルギ源に接続可能な一次駆動回路を含む駆動ユニットと、少なくとも１つの光源に接続可能な少なくとも１つの二次駆動回路と、一次駆動回路と少なくとも１つの二次駆動回路との間で電気エネルギを変換する変圧器とを、提供するステップをさらに含む。方法は、少なくとも変圧器と少なくとも１つの二次駆動回路とを透光性エンベロープ内に配置するステップをさらに含む。
【０００９】
したがって、本発明は、１つ以上の光源と、光源を囲み、光源から発生される光を透過する透光性エンベロープと、変圧器を介して照明装置の光源に電気エネルギを供給するための駆動ユニットとを含む照明装置を提供するという考えに基づいており、駆動ユニットの少なくとも変圧器と二次駆動回路とは、照明装置の透光性エンベロープ内に（完全に）配置される。これにより、照明装置は、絶縁した透光性エンベロープ内で駆動ユニットの変圧器と二次駆動回路とを絶縁し得、これは照明装置の動作中の電気的安全性を保証する構成をもたらすことが理解されよう。さらに、本発明の照明装置は、駆動ユニットの変圧器と二次駆動回路とが照明装置の透光性エンベロープ内に（一体化されて）配置されるので、その構造が便利でコンパクトである。したがって、そのアレンジメントが動作中にしばしば安全でなく、その構造が複雑で、付随的、及び／又は高価である、先行技術における変圧器を含む発光アレンジメントと比較して、本発明の照明装置は、非常に安全で、より便利で、より費用対効果の高い照明装置を提供する。
【００１０】
本発明は、駆動ユニットの変圧器と二次駆動回路とが、照明装置の透光性エンベロープ内に完全に配置されるという利点がある。エンベロープは、これにより、少なくとも１つの光源に電力を供給するために駆動ユニットのこれらの部品を完全に絶縁し得る。したがって、本発明の照明装置の透光性エンベロープは、動作中に少なくとも１つの光源から発生される光を透過し得るだけでなく、少なくとも１つの光源に電気エネルギを供給するために、駆動ユニットの変圧器と二次駆動回路とを絶縁及び／又は保護することもし得る。結果として、一次駆動回路と、少なくとも１つの二次駆動回路と、変圧器とを含む、駆動ユニットが、照明装置のエンベロープ内に少なくとも部分的に配置されるので、照明装置は、その動作中に電気的安全性を保証し得る。
【００１１】
少なくとも部分的に照明装置の透光性エンベロープ内に駆動ユニットを配置することは、コンパクトで低費用の構造を有する照明装置をさらにもたらすことが理解されよう。
【００１２】
本発明は、本発明の照明装置が、光源の数、光源の光束出力等、光源の特性に関して便利に最適化されるという利点がさらにある。例えば、光源の特性の変更の場合、同じ電流（Ｖ／Ｉ比）で異なる電圧源が必要である。先行技術によるシステムにおいて、光源の特性の変更は、駆動アレンジメント及び／又は駆動設計の変更をしばしば必要とする。対照的に、本発明の照明装置は、二次駆動回路のみ交換される必要がある一方で、一次駆動回路は交換される必要がない点において、このような変更を便利に克服する。言い換えれば、本発明は、光源に電圧を供給するために、調整可能な駆動ユニットの概念を有する照明装置を提供する。さらに、二次駆動回路は交換される一方で、一次駆動回路は異なる光束出力を有する多くの異なる種類の照明装置に使用される。
【００１３】
本発明は、本発明の透光性エンベロープが、少なくとも１つの光源からの光の透過と、駆動ユニットの少なくとも一部の効率的な絶縁とを、同時に目的とする単一の材料（例えば、ガラス）から構成されるという利点がさらにある。結果として、本発明のエンベロープは、さらに費用対効果の高い照明装置をもたらす。
【００１４】
本発明は、照明装置が従来の白熱電球アレンジメントの１つ以上の部品を再利用し、それにより照明装置の費用対効果にさらに寄与するという利点がさらにある。例えば、フレア、引込線、及び／又は排気管等の白熱電球アレンジメントの部品は、本発明の照明装置の部品を構成する。
【００１５】
本発明は、先行技術のアレンジメントのアセンブリと比較して、製造中の照明装置のアセンブリが単純化されるという利点がさらにある。駆動ユニットのアセンブリの少なくとも一部が照明装置のアセンブリの一部を形成し、古典的な生産ライン上で比較的高速で実行され得るので、本発明の照明装置のアセンブリ作業は大幅に低減されることが理解されよう。したがって、本発明は、先行技術のプロセスと比較して、部品表とアセンブリの費用とを低減し得る。結果として、本発明の照明装置は比較的安価であり、これは照明装置の製造のためにも保持される。
【００１６】
本発明は、多くの先行技術のアレンジメントと比較して、特に、容易な分解及び／又は再利用動作を妨げる比較的多数の装置及び／又は部品を含むアレンジメントと比較して、照明装置の部品の数が比較的少ないことが、照明装置の再利用が容易であることを意味するという利点がさらにある。
【００１７】
本発明の照明装置の前述の利点はまた、このような照明装置を製造する方法についても満たすことが理解されよう。
【００１８】
本発明の照明装置は、光を発生する少なくとも１つの光源を含む。照明装置は、少なくとも１つの光源を囲み、光源から発生される光を透過する、透光性エンベロープをさらに含む。“透光性エンベロープ”とは、本明細書において、電球、ケーシング、カバー等の実質的に任意の構造を意味し、少なくとも部分的に半透明な材料をさらに含み（又はそれらから構成され）、これによりエンベロープは光源により発生される光を透過し得る。
【００１９】
本発明の照明装置は、少なくとも１つの光源に電力を供給するための駆動ユニットをさらに含む。駆動ユニットは、電気エネルギ源に接続可能な一次駆動回路と、少なくとも１つの光源に接続される少なくとも１つの二次駆動回路と、一次駆動回路と二次駆動回路との間で電気エネルギを変換する変圧器とを含む。“変圧器”とは、本明細書において、電気エネルギを変換し、ＡＣ電圧を（第１の）電圧レベルから別の（第２の）電圧レベルに変更するための、実質的に任意の手段を意味する。したがって、本発明の照明装置の駆動ユニットは、第１の電圧レベルを有する電気エネルギ源から、変圧器を介して少なくとも１つの光源に第２の電圧レベルを供給する。
【００２０】
本発明の一実施形態によれば、駆動ユニットはエンベロープ内に配置される。したがって、本発明のこの実施形態において、一次駆動回路と、変圧器と、二次駆動回路とを含む駆動ユニット全体は、エンベロープ内に配置される。本実施形態は、エンベロープが駆動ユニットを完全に絶縁し得るように、駆動ユニット全体が照明装置の透光性エンベロープ内に完全に配置されるという利点がある。
【００２１】
本発明の一実施形態によれば、一次駆動回路は、エンベロープの口金部分に配置される。“口金部分”とは、本明細書において、照明装置の電気的接続のために、ソケット等に接続される透光性エンベロープの部分を意味する。照明装置のエンベロープが（梨型の）電球の形状を有する場合、“口金部分”は、エンベロープの上部電球部分よりも小さな円周を有する、エンベロープの下部部分の一部を構成することが理解されよう。口金部分は、照明装置のねじ口金（キャップ）を含む又は構成することが理解されよう。本実施形態は、一次駆動が（外部の）電気エネルギ源に容易かつ便利に接続可能であるという利点がある。
【００２２】
本発明の一実施形態によれば、照明装置は、エンベロープ内に配置される支持構造体をさらに含み、少なくとも１つの二次駆動回路と少なくとも１つの光源とが支持構造体上に配置される。“支持構造体”とは、本明細書において、照明装置の１つ以上の部品の機械的支持及び／又は電気的支持のために配置される、実質的に任意の要素を意味する。本実施形態は、支持構造体が、照明装置の透光性エンベロープの内部の二次駆動回路と光源との便利なアレンジメントを提供するという利点がある。本実施形態は、光源がその上に配置される支持構造体が、照明装置の所望の発光方向を提供し得るという利点がさらにある。
【００２３】
本発明の一実施形態によれば、支持構造体は円筒形状であり、少なくとも部分的に変圧器を囲む。本実施形態は、二次駆動回路と光源とがその上に配置される支持構造体が、照明装置の全指向性配光を提供するという利点がある。本実施形態は、支持構造体の形状及び／又はアレンジメントが、照明装置の比較的詰まった（したがって省スペースの）アレンジメントに寄与するという利点がさらにある。
【００２４】
本発明の一実施形態によれば、支持構造体は多角形の断面を有する。本実施形態は、支持構造体の多角形形状が、依然として実質的に全指向性配光を提供し得る一方で、二次駆動回路と光源とがその上に配置される、支持構造体の（平面）領域を提供するという利点がある。
【００２５】
本発明の一実施形態によれば、変圧器は、コアと、コアの周囲に配置される一次巻線と、一次巻線を少なくとも部分的に囲む絶縁要素と、絶縁要素の周囲にアレンジされる二次巻線とを含み、照明装置は、コアを囲むステム要素をさらに含む。“ステム要素”とは、本明細書において、変圧器のコアがその中に配置される、（排気）管又は円筒要素等を意味する。現在利用可能な白熱電球アレンジメントは、電球の外に空気を排出し、製造中に電球の中に１つ以上の不活性ガスを挿入するために、排気管電球が提供され、本実施形態は、これにより、本発明の照明装置が、このような排気管を再利用するという利点があることが理解されよう。結果として、本実施形態は、より費用対効果の高い照明装置と、照明装置のより費用対効果の高い製造方法とをもたらす。さらに、本実施形態は、より薄く、よりコンパクトで、及び／又はより便利な照明装置が提供されるという利点がある。
【００２６】
本発明の一実施形態によれば、ステム要素は、一次巻線をさらに囲む。したがって、本発明のこの実施形態において、ステム要素は、変圧器のコアと一次巻線とを囲む。本実施形態は、コアと巻線との間の空間の縮小を達成し、結果としてよりコンパクトな照明装置をもたらすという利点がある。本実施形態は、照明装置のアセンブリ中に比較的少数のガラス部品が使用されるので、照明装置の製造がさらに容易になるという利点がさらにある。本実施形態は、照明装置の磁気結合が改善されるという利点がさらにある。
【００２７】
本発明の一実施形態によれば、ステム要素は円筒形状であり、エンベロープの口金部分からエンベロープの内部に延在する。ステム要素は、白熱電球の排気管と同じであり、本実施形態は、これにより、本発明の照明装置がこのような排気管を再利用するという利点があることが理解されよう。
【００２８】
本発明の一実施形態によれば、絶縁要素及び／又はステム要素はガラスを含む。言い換えれば、絶縁要素とステム要素との少なくとも１つは、ガラスを含む。本実施形態は、ガラスが比較的高い抵抗率を有し、電気的に絶縁性であるという利点がある。本実施形態は、ガラスが比較的安価な材料であり、より費用対効果の高い照明装置と、照明装置を製造するより費用対効果の高い方法とをもたらすという利点がさらにある。
【００２９】
本発明の一実施形態によれば、変圧器は、二次巻線の周囲に配置される円筒形状の第１のコア要素と、第１のコア要素の周縁の１つに配置される少なくとも１つの第２のコア要素とをさらに含む。したがって、変圧器のコアに加えて、本実施形態の変圧器は、二次巻線の周囲に配置される円筒形状の第１のコア要素と、第１のコア要素の一端又は両端部に蓋として配置される少なくとも１つの第２のコア要素とをさらに含む。本実施形態は、変圧器の一次巻線と二次巻線との間の結合が、第１及び第２のコア要素によりさらに改善されるという利点がある。
【００３０】
本発明の一実施形態によれば、エンベロープは電球型である。したがって、本実施形態において、照明装置の透光性エンベロープは、（梨型の）電球の形状を有する。本実施形態は、照明装置の光源と駆動ユニットとがエンベロープ内に便利に収まるという利点がある。さらに、先行技術による白熱電球アレンジメントにおいて電球形状のエンベロープが一般的に使用されるので、本発明は、本発明の照明装置が、これらの白熱電球アレンジメントのエンベロープを再利用し、より費用対効果の高い照明装置と、照明装置の便利で費用対効果の高い製造方法とをもたらすという利点がある。
【００３１】
本発明の一実施形態によれば、エンベロープはガラスを含む。本実施形態は、透光性エンベロープへのガラスの使用により、動作中に少なくとも１つの光源により発生される光の透過と、駆動ユニットの効率的な絶縁及び／又は保護との、両方が可能になるという利点がある。
【００３２】
本発明の一実施形態によれば、少なくとも１つの光源は、少なくとも１つの発光ダイオード（ＬＥＤ）を含む。本実施形態は、より長い動作寿命及び光エネルギと熱エネルギとの比に関する効率の向上等、白熱ランプと比較してＬＥＤが多くの利点を提供するという利点がある。
【００３３】
本発明のさらなる目的、特徴、及び利点は、以下の詳細な開示、図面、及び添付の特許請求の範囲を検討する際に明らかになるだろう。当業者であれば、本発明の異なる特徴を組み合わせて、以下に説明する実施形態以外の実施形態を作成し得ることを理解するだろう。
【図面の簡単な説明】
【００３４】
本発明のこの態様及び他の態様を、本発明の実施形態を示す添付の図面を参照して、より詳細に説明する。
【００３５】
【図１】本発明の例示的な実施形態による照明装置の概略的な断面図である。
【図２】本発明の例示的な実施形態による照明装置の概略的な断面図である。
【図３】本発明の例示的な実施形態による照明装置の概略的な断面図である。
【発明を実施するための形態】
【００３６】
図１は、本発明の一実施形態による照明装置１００の概略的な断面図である。照明装置１００は、光を発生する少なくとも１つの光源１１０を含み、図１の光源１１０は、発光ダイオード（ＬＥＤ）として概略的に示される。照明装置１００は、光源１１０を囲み、光源１１０から発生される光を透過する、透光性エンベロープ１２０をさらに含む。ここでは、透光性エンベロープ１２０が電球の形状を有するように示されるが、エンベロープ１２０は、実質的に他の形状をとることが理解されよう。透光性エンベロープ１２０の材料は、好ましくはガラスであるが、透光性エンベロープ１２０は実質的に他の半透明材料を含むことが理解されよう。
【００３７】
照明装置１００は、光源１１０に電力を供給するための駆動ユニット１３０をさらに含む。駆動ユニット１３０は、例えば一次電源等の電気エネルギ源に接続可能な一次駆動回路１４０を含む。ここでは、概略的に示される一次駆動回路１４０が、エンベロープ１２０の口金部分（キャップ）２１０内に提供され、口金部分２１０は、照明装置１００の電気的接続のために、ソケット等に接続される。口金部分２１０は、照明装置１００のねじ込み口金（キャップ）を含む又は構成することが理解されよう。
【００３８】
照明装置１００は、光源１１０に接続される少なくとも１つの二次駆動回路１５０をさらに含む。図１において、二次駆動回路１５０は、光源１１０に沿って概略的に示される。照明装置１００は、エンベロープ１２０内に配置される支持構造体３１０をさらに含み、支持構造体３１０上に二次駆動回路１５０と光源１１０とが配置される。支持構造体３１０は、光源１１０のための１つ以上の基板をさらに含むことが理解されよう。支持構造体の材料は、ＣＥＭ‐３又はＦＲ４等の従来のプリント回路基板（ＰＣＢ）材料である。図１の支持構造体３１０は、円筒形状を有するものとして例示されるが、支持構造体３１０は、実質的に他の任意の形状をとることが理解されよう。さらに、円筒形状の支持構造体３１０は、例えば、 二次の又は八角形の断面等の、多角形の断面を有する。そのような場合、二次駆動回路１５０と光源１１０とは、支持構造体３１０の（平面）領域上に配置される。二次駆動回路１５０は、支持構造体３１０上に取り外し可能に配置され、必要に応じて１つ以上の他の二次駆動回路により容易に置換されることが理解されよう。１つ以上の二次駆動回路１５０の置換は、光源１１０に電圧を供給するための、照明装置１００の調整可能な駆動ユニットの概念の一部を形成する。
【００３９】
照明装置１００は、一次駆動回路１４０と二次駆動回路１５０との間で電気エネルギを変換する変圧器１６０をさらに含む。破線で概略的に示される変圧器１６０は、ロッドの形状を有するコア４００、好ましくはフェライトコアを含む。コア４００は、透光性エンベロープ１２０の内部の略中央部に配置される。コア４００はさらに、口金部分２１０から透光性エンベロープ１２０の内部に伸びる円筒形状の又は管状のステム要素４４０内に配置される。ステム要素４４０は、白熱ランプの排気管要素と同じ部品を構成し、空気を電球から排出し、製造中に１つ以上の不活性ガスを電球内に取込むことが理解されよう。照明装置１００の変圧器１６０は、コア４００の周囲に配置される一次巻線４１０と、一次巻線４１０とを少なくとも部分的に囲む絶縁要素４２０をさらに含む。ここでは、絶縁要素４２０は円筒形状であるが、実質的に他の形状をとる。好ましくは、絶縁要素４２０及び／又はステム要素４４０は、ガラスを含む又はガラスで構成される。照明装置１００の一次駆動回路１４０と一次巻線４１０との間の電気的接続のための一対の引込線４５０が、図１に概略的に示される。照明装置１００の変圧器１６０は、絶縁要素４２０の周囲に配置される二次巻線４３０をさらに含み、二次巻線４３０は、支持構造体３１０により少なくとも部分的に囲まれる。
【００４０】
照明装置１００の中心から照明装置１００の透光性エンベロープ１２０に向かう方向において、図１に例示される照明装置１００は、これにより、コア４００と、ステム要素４４０と、一次巻線４１０と、絶縁要素４２０と、二次巻線４３０と、支持構造体３１０と、光源１１０と、二次駆動回路１５０とを含む。したがって、図１の照明装置１００において、駆動ユニット１３０の変圧器１６０と二次駆動回路１５０とは、照明装置１００の透光性エンベロープ１２０内に完全に配置される。代替的に、照明装置１００の図示されない例において、駆動ユニット１３０全体（すなわち、一次駆動回路１４０と、二次駆動回路１５０と、変圧器１６０と）は、照明装置１００の透光性エンベロープ１２０内に配置される。
【００４１】
図２は、本発明の一実施形態による照明装置２００の概略的な断面図である。照明装置２００の多くの特徴及び／又は部品は、光源１１０、一次駆動回路１４０、二次駆動回路１５０、支持構造体３１０等の、図１の照明装置１００のものと同様であり及び／又は同様に配置され、本文のその部分が参照されることが理解されよう。しかし、図２の照明装置２００の実施形態において、ステム要素４４０は、コア４００と一次巻線４１０との両方を囲む。さらに、図１の照明装置１００と比較して、（フェライト）コア４００と一次巻線４１０との間の絶縁が、代わりに一次巻線４１０上に塗布されたニスにより提供されるので、円筒形状の絶縁要素は存在しない。
【００４２】
図３は、本発明の一実施形態による照明装置３００の実施形態の概略的な断面図である。再度、照明装置３００の多くの特徴及び／又は部品は、図１の照明装置１００及び／又は図２の照明装置２００のものと同様であり及び／又は同様に配置され、これにより、本文のこれらの部分が参照される。図２の照明装置２００と同様に、図３に示される照明装置３００の実施形態のステム要素４４０は、コア４００と一次巻線４１０との両方を囲む。さらに、変圧器１６０は、円筒形状で、前記二次巻線４３０の周囲、すなわち二次巻線４３０と支持構造体３１０との間に配置される、第１のコア要素７００を含む。変圧器１６０は、第１のコア要素７００の上部周縁上に蓋として配置される第２のコア要素７１０をさらに含む。代替的に、又は追加で、第１のコア要素７００の下部周縁上に配置される第２のコア要素（図示せず）が提供される。第１のコア要素７００及び／又は第２のコア要素７１０は、例えばフェライト等、コア要素４００の材料と同じであることが理解されよう。
【００４３】
当業者は、本発明が決して上記の好ましい実施形態に限定されないことを理解する。寧ろ、添付の請求項の範囲内で多くの修正及び変形が可能である。例えば、図面は、本発明の実施形態による照明装置の概略図に過ぎないことが理解されよう。したがって、駆動ユニット１３０及び光源１１０等の照明装置１００、２００、３００の任意の要素／部品は、図示及び／又は説明されたものとは異なる寸法、形状及び／又は大きさを有する。例えば、光源１１０及び／又は二次駆動回路１５０の数は、図に例示されるものよりも多い又は少ない。さらに、より良い理解のために、図中の一次巻線４１０及び／又は二次巻線４３０は、図面において拡大される。
【図１】
2018505533.tif 000003
【図２】
2018505533.tif 000004
【図３】
2018505533.tif 000005
【国際調査報告】
2018505533.tif 000006
2018505533.tif 000007
2018505533.tif 000008